(57)【要約】【課題】端子台に加わる負荷の影響が低減された電源ユニットを提供する。【解決手段】電源ユニット１０は、回路基板１１と、基台１２ａ及び基台１２ａを上面側から覆うカバー１２ｂを有し、回路基板１１を収容する筐体と、電源ケーブルと回路基板１１とを電気的に接続するために電源ケーブルが挿入される端子孔を側部に有し、基台１２ａの上面に取り付けられた端子台１００とを備え、カバー１２ｂの端部１６は、電線の挿入方向と交差する方向に向かって折れ曲がっており、端子台１００には、折れ曲がったカバー１２ｂの端部１６が挿入される溝が設けられる。【選択図】図３
2016091738.tif 000002
【特許請求の範囲】
【請求項１】
回路基板と、
基台、及び、前記基台を上面側から覆うカバーを有し、前記回路基板を収容する筐体と、
電線と前記回路基板とを電気的に接続するために当該電線が挿入される端子孔を側部に有し、前記基台の上面に取り付けられた端子台とを備え、
前記カバーの端部は、前記電線の挿入方向と交差する方向に向かって折れ曲がっており、
前記端子台には、折れ曲がった前記カバーの端部が挿入される溝又は穴が設けられる
回路ユニット。
【請求項２】
前記端子台には、下方に向かって凹んだ前記溝が設けられ、
前記溝には、下方に向かって折れ曲がった前記カバーの端部が挿入される
請求項１に記載の回路ユニット。
【請求項３】
前記端子台は、
前記側部を構成する第一側面を有する略直方体状の本体部と、
前記本体部のうち前記第一側面の反対側に位置する第二側面から突出し、前記第二側面との間に下方に向かって凹んだ前記溝を形成する溝部とを有し、
前記カバーは、前記本体部の上面及び前記第一側面を外部に露出させた状態で前記基台を上面側から覆う
請求項２に記載の回路ユニット。
【請求項４】
前記溝部は、前記第二側面のうち、前記本体部の下面よりも前記本体部の上面に近い位置に設けられる
請求項３に記載の回路ユニット。
【請求項５】
前記筐体は、略直方体状であり、
前記本体部の上面と前記カバーの上面とは面一となる
請求項３又は４に記載の回路ユニット。
【請求項６】
前記端子台は、当該端子台を上下方向に貫通する貫通孔を有し、当該貫通孔に上方から挿入されるネジによって前記基台に固定される
請求項１〜５のいずれか１項に記載の回路ユニット。
【請求項７】
前記カバーは、ネジ挿通孔を有し、当該ネジ挿通孔に挿通されるネジによって前記基台に固定される
請求項１〜６のいずれか１項に記載の回路ユニット。
【請求項８】
前記端子台は、前記端子孔を複数有し、
複数の前記端子孔は、前記側部においてマトリクス状に配置される
請求項１〜７のいずれか１項に記載の回路ユニット。
【請求項９】
前記回路基板には、前記電線を通じて供給される交流電力を直流電力に変換する電源回路を構成する回路部品が設けられる
請求項１〜８のいずれか１項に記載の回路ユニット。
【請求項１０】
前記基台は、下面側が構造物の面に対向した状態で、当該構造物の面に取り付けられる
請求項１〜９のいずれか１項に記載の回路ユニット。
【請求項１１】
請求項１〜１０のいずれか１項に記載の回路ユニットと、
前記回路ユニットからの給電により点灯する灯具とを備える
照明器具。
【発明の詳細な説明】
【技術分野】
【０００１】
本発明は、電線が挿抜される端子台を有する回路ユニット等に関する。
【背景技術】
【０００２】
従来、天井や壁などの構造物に直接取り付けられる照明器具が知られている。このような照明器具は、天井や壁に穴をあけて埋め込まれることが一般的である。また、このような照明器具は、構造物内（例えば、天井裏）から配線される電源ケーブルに端子台を介して接続されることが一般的である（例えば、特許文献１参照）。
【先行技術文献】
【特許文献】
【０００３】
【特許文献１】特開２００３−２７２４１０号公報
【発明の概要】
【発明が解決しようとする課題】
【０００４】
上記のような照明器具は、例えば、灯具と、灯具に直流電力を供給する別置型の電源ユニット（回路ユニットの一例）とを備える。ここで、電源ユニットに上記端子台が設けられる構成では、端子台への電源ケーブル（電線）の抜き差しにより端子台に負荷が加わった場合に電源ユニットの筐体の変形等が発生する場合がある。
【０００５】
そこで、本発明は、端子台に加わる負荷の影響が低減された回路ユニット等を提供する。
【課題を解決するための手段】
【０００６】
本発明の一態様に係る回路ユニットは、回路基板と、基台、及び、前記基台を上面側から覆うカバーを有し、前記回路基板を収容する筐体と、電線と前記回路基板とを電気的に接続するために当該電線が挿入される端子孔を側部に有し、前記基台の上面に取り付けられた端子台とを備え、前記カバーの端部は、前記電線の挿入方向と交差する方向に向かって折れ曲がっており、前記端子台には、折れ曲がった前記カバーの端部が挿入される溝又は穴が設けられる。
【発明の効果】
【０００７】
本発明によれば、端子台に加わる負荷の影響が低減された回路ユニットが実現される。
【図面の簡単な説明】
【０００８】
【図１】図１は、実施の形態１に係る照明器具の構成を示す斜視図である。
【図２】図２は、実施の形態１に係る電源ユニットの分解斜視図である。
【図３】図３は、実施の形態１に係る電源ユニットの内部構造を示す側面図である。
【図４】図４は、端子台の外観斜視図である。
【図５】図５は、端子台の小型化を説明するための模式図である。
【図６】図６は、第１の変形例に係る端子台の外観斜視図である。
【図７】図７は、第２の変形例に係る端子台の外観斜視図である。
【図８】図８は、第３の変形例に係る端子台の外観斜視図である。
【発明を実施するための形態】
【０００９】
以下、実施の形態に係る照明器具及び電源ユニット（回路ユニット）について図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は、模式図であり、必ずしも厳密に図示されたものではない。なお、各図において、実質的に同一の構成に対しては同一の符号を付しており、重複する説明は省略又は簡略化される場合がある。また、以下の実施の形態では、特に断りがない限り、図面のＺ軸＋側を上、Ｚ軸−側を下と表現する。
【００１１】
（実施の形態１）
［照明器具の構成］
まず、実施の形態１に係る照明器具について、図１を用いて説明する。図１は、実施の形態１に係る照明器具の構成を示す斜視図である。
【００１２】
実施の形態１に係る照明器具１は、例えば住宅等の天井に設けられた埋込穴に埋込配設される埋込型照明器具であって、例えば下方（廊下や壁等）に向けて光を出射するダウンライトである。
【００１３】
図１に示すように、照明器具１は、電源ユニット１０と、電源ユニット１０からの給電により点灯する灯具２０と、電源ユニット１０と灯具２０とを接続するコネクタ線２００とを備える。また、図１では、電源ケーブル５５も図示されている。
【００１４】
灯具２０は、例えば、アルミダイカスト製の枠体２１及び本体（基台）２２と、灯具２０を天井等に取り付けるための取付バネ２３と、本体２２に固定された光源（不図示）とを備える。
【００１５】
本体２２は、ヒートシンクとしても機能し、本実施の形態では放熱フィンが設けられている。光源は、例えば、基板と基板に実装された発光ダイオード（ＬＥＤ：Ｌｉｇｈｔ  Ｅｍｉｔｔｉｎｇ  Ｄｉｏｄｅ）とからなるＬＥＤ光源（ＬＥＤモジュール）であり、例えば照明光として白色光を放出する。なお、灯具２０には、その他に、枠体２１内に反射板及び透光パネル等が設けられていてもよい。
【００１６】
電源ユニット１０は、回路ユニットの一例であり、実施の形態１では、照明用の電源ユニットである。電源ユニット１０は、灯具２０を点灯させるための電力を生成して、コネクタ線２００を介して灯具２０に給電する。上記ＬＥＤ光源は、直流電流によって駆動するので、灯具２０には直流電力が供給される。
【００１７】
［電源ユニットの構成］
ここで、図１を参照しながら、さらに図２及び図３を用いて電源ユニット１０の構成について説明する。図２は、電源ユニット１０の分解斜視図である。図３は、電源ユニット１０の内部構造を示す側面図である。なお、図３は、筐体１２の側部（側板）が無い状態の電源ユニット１０が図示されている。
【００１８】
図２に示すように、電源ユニット１０は、回路基板１１と、回路基板１１を収容する筐体１２と、端子台１００とを備える。
【００１９】
回路基板１１は、所定形状の金属配線が形成されたプリント配線基板であり、回路基板１１には、照明用電源回路を構成する複数の回路部品（不図示）が実装されている。これらの回路部品（電子部品）は、半田付けで回路基板１１に電気的及び物理的に接続固定されている。なお、回路基板１１において、第１の主面は、回路部品が実装される実装面であり、当該実装面とは反対側の第２の主面は、回路部品のリードが半田付けされる半田面である。回路基板１１は、ネジ挿通孔１１ａに挿通されるネジによって基台１２ａに固定される。このネジは、基台１２ａに設けられたネジ穴１５ａに締結される。
【００２０】
筐体１２は、例えば、金属製の回路ケースであり、Ｘ軸方向に長い略直方体状である。図１〜図３に示すように、回路基板１１を支持する基台１２ａと、カバー１２ｂとを有する。
【００２１】
基台１２ａは、筐体１２の一部として機能し、かつ、構造物の面に取り付けられる取り付け部として機能する金属製の板状の部材である。基台１２ａは、下面側が天井裏の面（構造物の面の一例）に対向した状態で、当該天井裏の面にネジ止めされる。基台１２ａの上面側には、回路基板１１と、端子台１００とが取り付けられる。
【００２２】
基台１２ａは、より詳細には、底部１３ａと、側部１３ｂと、側部１３ｃとからなり、これらの各部位は、例えば、１つの板状の部材が折り曲げ加工されることにより形成される。
【００２３】
底部１３ａは、Ｘ−Ｙ平面に平行な主面を有し、Ｘ軸方向に長い略矩形板状である。底部１３ａには、回路基板１１を基台１２ａに固定するためのネジ穴１５ａ、カバー１２ｂを基台１２ａに固定するためのネジ穴１５ｂ、及び、端子台１００を基台１２ａに固定するためのネジ穴１５ｃが設けられる。
【００２４】
底部１３ａのＸ軸方向における端部の両方は、下方に向かって階段状に折り曲げられている。階段状に折り曲げられた２つの端部のそれぞれには、取り付け孔が設けられる。例えば、Ｘ軸−側の端部には、取り付け孔１５が設けられる。基台１２ａ（筐体１２）は、取り付け孔に挿入されるネジによって天井裏の面に固定される。
【００２５】
側部１３ｂ及び側部１３ｃのそれぞれは、Ｚ−Ｘ平面に平行な主面を有し、Ｘ軸方向に長い略矩形板状である。側部１３ｂは、底部１３ａのＹ軸＋側の端部に接続されており、側部１３ｃは、底部１３ａのＹ軸−側の端部に接続されている。
【００２６】
側部１３ｃのＸ軸＋側寄りの部分には、開口１８ａが設けられ、側部１３ｂのＸ軸−側の端部には、開口１８ｂが設けられ、側部１３ｃのＸ軸−側の端部には、開口１８ｃが設けられる。開口１８ａ、１８ｂ、及び１８ｃには、カバー１２ｂの凸部１７ａ、１７ｂ、及び１７ｃがそれぞれ係合する。つまり、開口１８ａ、１８ｂ、及び１８ｃは、カバー１２ｂの取り付けに用いられる。なお、基台１２ａと、カバー１２ｂとの固定には、ネジ穴１５ｂも用いられる。
【００２７】
カバー１２ｂは、基台１２ａ（基台１２ａに固定された回路基板１１）を上面側から覆う金属製の板状の部材である。カバー１２ｂは、具体的には、端子台１００の本体部１１０の上面及び端子孔１２０が設けられた側面（第一側面）を外部に露出させた状態で基台１２ａを上面側から覆う。なお、本体部１１０の下面及び上記第一側面の反対側の側面（第二側面）は、電源ユニット１０の外部からは視認できない。
【００２８】
カバー１２ｂは、より詳細には、上面部１４ａと、側部１４ｂと、側部１４ｃと、側部１４ｄとからなり、これらの各部位は、例えば、１つの板状の部材が折り曲げ加工されることにより形成される。
【００２９】
上面部１４ａは、Ｘ−Ｙ平面に平行な主面を有し、Ｘ軸方向に長い略矩形板状である。上面部１４ａは、Ｘ軸−側の端部１６が下方に向かって折り曲げられて（折れ曲がって）いる。なお、端部１６は、別の部材が溶接等により接着されることにより結果的に折れ曲がっていればよく、折り曲げ加工により形成される必要はない。
【００３０】
側部１４ｂ及び側部１４ｃのそれぞれは、Ｚ−Ｘ平面に平行な主面を有し、Ｘ軸方向に長い略矩形板状である。側部１４ｂは、上面部１４ａのＹ軸＋側の端部に接続されており、側部１４ｂのＸ軸−側の端部は、Ｙ軸−側に向かって折り曲げられている。側部１４ｃは、上面部１４ａのＹ軸−側の端部に接続されており、側部１４ｃのＸ軸−側の端部は、Ｙ軸＋側に向かって折り曲げられている。
【００３１】
側部１４ｃのＸ軸＋側寄りの部分には、凸部１７ａが設けられ、側部１４ｂのＸ軸−側の端部には、凸部１７ｂが設けられ、側部１４ｃのＸ軸−側の端部には、凸部１７ｃが設けられる。凸部１７ａ、１７ｂ、及び１７ｃは、基台１２ａの開口１８ａ、１８ｂ、及び１８ｃにそれぞれ係合する。つまり、凸部１７ａ、１７ｂ、及び１７ｃは、カバー１２ｂの取り付けに用いられる。
【００３２】
側部１４ｄは、Ｙ−Ｚ平面に平行な主面を有し、Ｙ軸方向にやや長い略矩形板状である。側部１４ｄには、基板用コネクタ３０を露出させるための開口が設けられている。また、側部１４ｄは、上面部１４ａのＸ軸＋側の端部に接続されている。
【００３３】
側部１４ｄの上面部１４ａと接続された端部と反対側の端部は、さらに折り曲げられてＸ−Ｙ平面に平行な面を有する板状に形成されている。この折り曲げられた端部には、ネジ挿通孔１５ｄが設けられ、ネジ挿通孔１５ｄに挿入されたネジが基台１２ａのネジ穴１５ｂに締結されることにより、基台１２ａとカバー１２ｂとが固定される。
【００３４】
基板用コネクタ３０は、回路基板１１のＸ軸＋側の端部に取り付けられるコネクタである。基板用コネクタ３０には、相手コネクタとしてコネクタ線２００が接続されている。実施の形態１では、基板用コネクタ３０は、一部が筐体１２から露出するように回路基板１１に固定されている。これにより、回路基板１１が筐体１２に収容された状態であっても、基板用コネクタ３０にコネクタ線２００を容易に接続することができる。
【００３５】
［端子台の構成］
次に、端子台１００の構成について、図４をさらに用いて説明する。図４は、端子台１００の外観斜視図である。
【００３６】
図１〜図４に示すように、端子台１００は、端子孔１２０及び貫通孔１４０が設けられた本体部１１０と、解除孔１２５と、溝１３０を形成する溝部１３５と、速結端子１５０とを備える。
【００３７】
本体部１１０は、電源ケーブル５５の端部５５ａが挿入される、主として樹脂等の絶縁性材料で形成された部材である。本体部１１０は、略直方体状であり、Ｘ軸−側の面（側部を構成する第一側面）に電線が挿入される端子孔１２０を複数有する。また、本体部１１０は、本体部１１０を上下方向に貫通する貫通孔１４０を有する。なお、図１では電源ケーブル５５が１本のみ図示されているが、実際には、少なくとも正極及び負極に相当する２本の電源ケーブル５５が端子孔１２０に挿入される。
【００３８】
本体部１１０は、基台１２ａの上面側に取り付けられる。具体的には、本体部１１０は、貫通孔１４０に上方から挿入されるネジが基台１２ａのネジ穴１５ｃに締結されることによって基台１２ａにネジ止め（固定）される。
【００３９】
端子孔１２０には、電源ケーブル５５と回路基板１１とを電気的に接続するために、電源ケーブル５５の端部５５ａが挿入される。端子孔１２０は、本体部１１０の側部においてマトリクス状に複数設けられる。複数の端子孔１２０には、上側に設けられた５つの端子孔１２０と、下側に設けられた５つの端子孔１２０とが含まれる。つまり、複数の端子孔１２０には、上下方向の位置が互いに異なる端子孔が含まれている。
【００４０】
なお、電源ケーブル５５は、天井裏などに配設され、商用電力を照明器具１やその他の電気機器等に供給するための電線である。電源ケーブル５５の端部５５ａは、剛性を有する銅などの金属製のピンで構成されている。端部５５ａ以外の部分は、可撓性を有し、樹脂などの電気絶縁性の部材により被覆されている。
【００４１】
速結端子１５０は、端子孔１２０に挿入された電源ケーブル５５と、回路基板１１とを電気的に接続し、電源ケーブル５５からの電力を回路基板１１に供給するための金属製の部材であり、端子孔１２０に対応して複数設けられる。
【００４２】
端子孔１２０に挿入された電源ケーブル５５の端部５５ａは、端子孔１２０の内部に位置する速結端子１５０の保持部（隙間）に差し込まれることによって速結端子１５０に接続される。一方で、速結端子１５０は、図４に示されるように、本体部１１０のＸ軸＋側の面（第二側面）から回路基板１１側（Ｘ軸＋側）に露出しており、回路基板１１上に設けられた接続端子（図示せず）と接続されている。したがって、端子孔１２０に電源ケーブル５５の端部５５ａが接続されることにより、電源ケーブル５５と回路基板１１とが電気的に接続される。
【００４３】
解除孔１２５は、端子孔１２０に対応して本体部１１０に複数設けられている。速結端子１５０は、解除孔１２５にドライバーなどの先端が差し込まれることで速結端子１５０の一部が押されて保持部（隙間）が広がる構造になっている。したがって、解除孔１２５にドライバーなどの先端が差し込まれることによっては、速結端子１５０による電源ケーブル５５の保持状態が解除され、電源ケーブル５５を引き抜くことが可能となる。
【００４４】
溝部１３５は、本体部１１０のＸ軸＋側の面（第二側面）のうち上面側の部分に設けられ、下方に向かって凹んだ溝１３０を形成する。言い換えれば、溝部１３５は、本体部１１０のＸ軸＋側の面のうち、本体部１１０の下面よりも本体部１１０の上面に近い位置に設けられる。溝部１３５は、端子台１００のうち本体部１１０から回路基板１１側（Ｘ軸＋側）に突出した部分であり、溝部１３５と本体部１１０のＸ軸＋側の面との間に溝１３０を形成する。Ｙ軸方向から見た場合の溝部１３５の形状は略Ｌ字状であり、溝１３０は、Ｙ軸方向に延伸している。
【００４５】
［効果］
電源ユニット１０では、下方に向かって折れ曲がった、カバー１２ｂの端部１６が溝１３０に挿入される（差し込まれる）構成が特徴である。以下、このような構成による効果について、このような構成を得るに至った経緯と合わせて説明する。
【００４６】
照明器具１を天井に取り付ける一般的な手順においては、まず、天井に設けられた照明器具１を埋込むための穴（埋め込み用穴）から引き出された電源ケーブル５５が電源ユニット１０の端子台１００に接続される。そして、埋め込み用穴を通じて電源ユニット１０を天井裏側に入れた後、灯具２０が天井に固定される。したがって、電源ユニット１０は、埋め込み用穴を通過できる形状及び大きさである必要がある。
【００４７】
ここで、埋め込み用穴は、建物の断熱性向上等の観点から、なるべく小さいほうがよい。したがって、電源ユニット１０は、埋め込み用穴に対応して小型化されることが望まれる。そこで、電源ユニット１０では、端子台１００の小型化が図られている。図５は、端子台１００の小型化を説明するための模式図である。なお、図５は、模式図であり、端子孔１２０の数など、これまで説明した端子台１００と一致しない部分がある。
【００４８】
図５の（ａ）に示すように、端子孔１２０が一列に配置された比較例に係る端子台３００では、埋め込み穴の穴径１５０ａが大きくなってしまう。これに対し、端子台３００と同じ個数の端子孔１２０が複数列に分けてマトリクス状に配置された端子台１００では、断面積（Ｘ軸方向から見た面積）を小さくすることができる。したがって、端子台１００が用いられた電源ユニット１０は、図５の（ｂ）に示すように小さな穴径１５０ｂの埋め込み穴を通ることができる。
【００４９】
ここで、上述のように端子台１００は、取付面１６０（端子台１００の下面（Ｚ軸方向−側の面））において基台１２ａと接続（固定）されている。端子台１００のような構造では、取付面１６０からＺ軸＋側に位置する端子孔１２０（以下、上段の端子孔１２０とも記載する）までの距離が長くなる（図５でｈ１＜ｈ２）。このため、上段の端子孔１２０に挿入された電源ケーブル５５が引っ張られるなどした場合には、取付面１６０を支点として大きなトルクが端子台１００に加わり、基台１２ａが曲がるなどの問題が発生する可能性がある。
【００５０】
そこで、電源ユニット１０では、溝１３０に端部１６が挿入されている。したがって、端子台１００がＸ軸−側に引っ張られるような場合には、筐体１２の内側を向いた端部１６の面と、当該面に対向する溝部１３５の内面とが当接することにより、上記トルクを緩和することができる。なお、端子台１００がＸ軸−側に引っ張られるような場合とは、例えば、電源ケーブル５５が引き抜かれる場合、及び、速結端子１５０に保持された状態で引っ張られる場合である。
【００５１】
また、端子台１００がＸ軸＋側に押し込まれるような場合には、筐体１２の外方を向いた端部１６の面と、当該面に対向する溝部１３５の内面とが当接することにより、上記トルクを緩和することができる。なお、端子台１００がＸ軸＋側に押し込まれるような場合とは、例えば、電源ケーブル５５が端子孔１２０に挿入される場合、及び、解除孔１２５にドライバーが挿入される場合である。
【００５２】
このように、電源ユニット１０では、カバー１２ｂの端部１６が溝１３０に挿入されることにより、電源ケーブル５５の抜き差し等により端子台１００に加わる負荷の影響を低減することができる。
【００５３】
また、上述のように、電源ユニット１０は天井裏に設置されるため、電源ユニット１０に対して上方から水滴が落下することが考えられる。このような場合、カバー１２ｂの下方に向かって折れ曲がった端部１６が上面側の溝１３０に挿入されることにより、カバー１２ｂと端子台１００との間から筐体内部に水滴が侵入することを抑制することができる。つまり、カバー１２ｂの端部１６が溝１３０に挿入されることにより、シンプルな構成で防水性を高めることができる。
【００５４】
また、電源ユニット１０においては、基台１２ａに対して上方から部品を載置及び固定できる構成となっている。具体的には、端子台１００及び回路基板１１は、基台１２ａの上面側に載置された後、上方から挿入されるネジによって固定され、最後にカバー１２ｂが上方から基台１２ａに取り付けられる。
【００５５】
ここで、溝１３０のように下方に向かって凹んだ溝が設けられていれば、カバー１２ｂを基台１２ａに上方から装着するだけで自ずと端部１６が溝１３０に差し込まれるため、組み立てが容易であるという利点がある。
【００５６】
また、電源ユニット１０においては、本体部１１０の上面とカバー１２ｂの上面とは、実質的に同一平面上に位置する。つまり、本体部１１０の上面とカバー１２ｂの上面とは、面一となる。これにより、電源ユニット１０の外面の凹凸が減らされるため、上述の埋め込み穴から電源ユニット１０を天井裏に入れる場合に、電源ユニット１０が埋め込み穴に引っ掛かる可能性を低減することができる。
【００５７】
［変形例］
上述のように、取付面１６０を支点として生じるトルクを緩和する観点から、カバー１２ｂと端子台１００とは、取付面１６０から遠い位置で係合するほうがよい。つまり、溝１３０は、端子台１００のなかでなるべく上部の位置（上面側）に設けられるほうがよい。しかしながら、溝１３０の位置は、端子台に加わる負荷の影響を軽減できるのであれば特に限定されるものではなく、例えば、以下で説明される変形例に係る端子台のように溝が設けられてもよい。また、以下で説明される変形例に係る端子台のように、溝に代えて穴が設けられてもよい。図６〜図８は、変形例に係る端子台の外観斜視図である。
【００５８】
図６に示す端子台１００ａは、溝１３０ａを形成する溝部１３５ａと、溝１３０ｂを形成する溝部１３５ｂとを備える。
【００５９】
溝部１３５ａは、本体部１１０のＹ軸＋側の側面のうちＸ軸＋側の部分に設けられ、Ｙ軸−側に向かって凹んだ溝１３０ａを形成する。溝部１３５ａは、具体的には、端子台１００ａのうち本体部１１０からＹ軸＋側に突出した２つの矩形板状の部材からなり、２つの部材の間にＹ軸−側に向かって凹んだ溝１３０ａであってＺ軸方向に延伸する溝１３０ａを形成する。
【００６０】
溝部１３５ｂは、本体部１１０のＸ軸＋側の側面のうちＹ軸−側の部分に設けられ、溝部１３５ｂと本体部１１０のＸ軸＋側の側面との間にＹ軸＋側に向かって凹んだ溝１３０ｂを形成する。溝部１３５ｂは、端子台１００ａのうち本体部１１０から回路基板１１側（Ｘ軸＋側）に突出した部分である。Ｚ軸方向から見た場合の溝部１３５ｂの形状は略Ｌ字状であり、溝１３０ｂは、Ｚ軸方向に延伸している。
【００６１】
このような端子台１００ａでは、カバー１２ｂの側部１４ｂのＸ軸−側の端部が溝１３０ａに挿入され、カバー１２ｂの側部１４ｃのＸ軸−側の端部が溝１３０ｂに挿入される。つまり、カバー１２ｂの側部１４ｂのＸ軸−側の端部は、溝１３０ａに挿入されるようにＹ軸−側に向かって折り曲げられ、カバー１２ｂの側部１４ｃのＸ軸−側の端部は、溝１３０ｂに挿入されるようにＹ軸＋側に向かって折り曲げられる。
【００６２】
このような構成においても、電源ケーブル５５の抜き差し等により端子台１００ａに加わる負荷の影響を低減することができる。
【００６３】
また、図７に示す端子台１００ｂは、端子台１００ａと溝の向きが逆である。具体的には、溝部１３５ｃは、本体部１１０のＸ軸＋側の側面のうちＹ軸＋側の部分に設けられ、溝部１３５ｃと本体部１１０のＸ軸＋側の側面との間にＹ軸＋側に向かって凹んだ溝１３０ｃを形成する。溝部１３５ｄは、本体部１１０のＸ軸＋側の側面のうちＹ軸−側の部分に設けられ、溝部１３５ｄと本体部１１０のＸ軸＋側の側面との間にＹ軸−側に向かって凹んだ溝１３０ｄを形成する。
【００６４】
このような端子台１００ｂでは、端子台１００と同様に、カバー１２ｂの端部１６が溝１３０ｃ及び１３０ｄに差し込まれる。
【００６５】
このような構成においても、電源ケーブル５５の抜き差し等により端子台１００ａに加わる負荷の影響を低減することができる。
【００６６】
また、図８に示す端子台１００ｃのように本体部１１０に形成されたＹ軸方向に延伸する長尺状の穴１３０ｅにカバー１２ｂの端部１６が差し込まれてもよい。
【００６７】
以上説明したように、端子台１００に設けられる溝（または穴）の位置は、当該溝にカバー１２ｂの端部が差し込み可能であれば特に限定されない。また、カバー１２ｂの端部は、電源ケーブル５５の挿入方向と交差する方向に向かって折れ曲がっていればよく、折れ曲がる方向は特に限定されない。
【００６８】
（その他の実施の形態）
以上、実施の形態に係る照明器具及び電源ユニットについて説明したが、本発明は、上記実施の形態に限定されるものではない。
【００６９】
例えば、上記実施の形態では、端子台は、電源ユニット１０の１次側に設けられた。つまり、端子台の端子孔には商用電源側の電源ケーブル５５が挿入された。しかしながら、端子台は、電源ユニット１０の２次側に設けられてもよい。つまり、端子台の端子孔には、灯具２０側の電線（上記実施の形態のコネクタ線２００に相当する電線）が挿入されてもよい。
【００７０】
また、上記実施の形態では、電源ケーブル５５が挿入される電源ユニット１０として実現されたが、本発明は、信号線などの電線が挿入される回路ユニット（端子台ユニット）としても実現可能である。
【００７１】
また、上記実施の形態において、照明器具１における灯具２０の光源としては、ＬＥＤ光源が用いられたが、灯具２０の光源は、特に限定されるものではない。灯具２０の光源は、ＨＩＤ（Ｈｉｇｈ  Ｉｎｔｅｎｓｉｔｙ  Ｄｉｓｃｈａｒｇｅ  Ｌａｍｐ）ランプ、蛍光ランプまたはフィラメントランプ等の既存ランプであってもよい。また、灯具２０の光源は、有機ＥＬ（Ｅｌｅｃｔｒｏ  Ｌｕｍｉｎｅｓｃｅｎｃｅ）等のＬＥＤ以外の固体発光素子を用いた光源であってもよい。これらの光源が用いられる場合、電源ユニット１０の照明用電源回路は、光源の種類に応じて設計されていればよい。
【００７２】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００７３】
１  照明器具
１０  電源ユニット（回路ユニット）
１１  回路基板
１２  筐体
１２ａ  基台
１２ｂ  カバー
１５ｄ  ネジ挿通孔
１６  端部
２０  灯具
５５  電源ケーブル（電線）
１００、１００ａ、１００ｂ、１００ｃ、３００  端子台
１１０  本体部
１２０  端子孔
１３０、１３０ａ、１３０ｂ、１３０ｃ、１３０ｄ  溝
１３０ｅ  穴
１３５、１３５ａ、１３５ｂ、１３５ｃ、１３５ｄ  溝部
１４０  貫通孔
【図１】
2016091738.tif 000003
【図２】
2016091738.tif 000004
【図３】
2016091738.tif 000005
【図４】
2016091738.tif 000006
【図５】
2016091738.tif 000007
【図６】
2016091738.tif 000008
【図７】
2016091738.tif 000009
【図８】
2016091738.tif 000010